(57)【特許請求の範囲】
【請求項１】
発光素子が実装された基板と、
前記基板が配置され、絶縁材料からなるボディと、
前記ボディを前記ボディの外面で支持するアームと、
前記基板を覆うカバーと、
前記発光素子を点灯させるための自然光の受光量を検出する光センサとを備え、
前記ボディは、前記アームと接すると共に、前記基板と接し、
前記ボディには、透光性を有する突起部が形成されており、
前記突起部は、自然光を前記光センサに導くように、前記アームに形成された開口部を介して露出していることを特徴とする照明器具。
【請求項２】
前記ボディは、前記アームの先端部を前記ボディとの間に挟むようにして保持するアーム保持部をさらに備え、
前記アームは、前記先端部から離間した位置で前記ボディに取り付けられていることを特徴とする請求項１に記載の照明器具。
【請求項３】
前記ボディと前記基板との間に介在するように配置された金属板をさらに備えていることを特徴とする請求項１又は２に記載の照明器具。
【請求項４】
前記発光素子に電力を供給する電源ユニットをさらに備え、
前記カバーは、前記電源ユニットを覆っており、少なくとも前記電源ユニットを覆う部分の内面に縞状の凹凸が設けられていることを特徴とする請求項１から３のいずれか１項に記載の照明器具。
【請求項５】
前記カバーは、
前記カバーの内面で水が流れ込む水路と、
前記水路に流れ込む水を外部に排出する排水孔とを有していることを特徴とする請求項４に記載の照明器具。
【発明の詳細な説明】
【技術分野】
【０００１】
本発明は、街灯、防犯灯等の屋外での使用に適した照明器具に関する。
【背景技術】
【０００２】
特許文献１には、光源部と、光源部が取り付けられた取付部材と、光源部を点灯制御する点灯装置と、光源部および点灯装置を覆う透光性を有するカバー部材と、カバー部材の開口部を閉塞する基体部と、基体部に取り付けられたアームとを備えた照明装置が開示されている。この照明装置では、発光素子を実装した基板をアルミニウム等の熱伝導性が良好な材料から成る取付部材に取り付けることで、光源部の発光素子が発する熱を、取付部材を介して外気へと放出させている。
【０００３】
しかしながら、上記の照明装置では、放熱用の取付部材を要することから、コストが増大するという問題があった。また、取付部材を配置するためのスペースを要することから、照明装置が大型化するという問題があった。
【０００４】
特許文献２には、この問題を解決できる照明装置が開示されている。この照明装置は、具体的には、発光素子を基板に実装して成る光源と、地上に設置される支柱に取り付けられる金属製のアームと、前記アームに支持されて前記光源および前記アームの一部を収納するハウジングとを備え、金属製のアームに光源の基板を直接取り付けることで、アームを介して発光素子の発する熱を外気へと放熱する。
【先行技術文献】
【特許文献】
【０００５】
【特許文献１】特開２０１２−２１６４７７号公報（２０１２年１１月８日公開）
【特許文献２】特開２０１４−１６５１３８号公報（２０１４年９月８日公開）
【発明の概要】
【発明が解決しようとする課題】
【０００６】
屋外に設置される照明器具は、雷の影響を受けやすいので、耐雷性能の向上が必須となる。しかしながら、特許文献２に開示された照明装置では、金属製のアームに光源の基板を直接取り付けることで、アームを介して発光素子の発する熱を外気へと放出しているため、アームと基板との間の絶縁距離を確保する事ができず、耐雷性能が劣り、製品寿命が短くなるという問題があった。
【０００７】
また、当該照明装置では、アームの一部をハウジング内に収納しているため、外部からアームを伝って雨等の水がハウジング内に水が侵入するので、防水性が劣るという問題があった。
【０００８】
本発明は、上記の課題に鑑みてなされたものであって、放熱性、耐雷性および防水性を向上させた照明器具の提供を目的としている。
【課題を解決するための手段】
【０００９】
上記の課題を解決するために、本発明の一態様に係る照明器具は、発光素子が実装された基板と、前記基板が配置され、絶縁材料からなるボディと、前記ボディを前記ボディの外面で支持するアームと、前記基板を覆うカバーとを備え、前記ボディが、前記アームと接すると共に、前記基板と接していることを特徴としている。
【発明の効果】
【００１０】
本発明の一態様によれば、アームと基板との間の絶縁距離を長くすることができ、発光素子が発する熱を、基板、ボディ、アームを介して外気へと放出することができると共に、水が外部よりアームを伝ってボディの内部に浸入することを無くすことができる。従って、照明器具の放熱性、耐雷性および防水性を向上させることができるという効果を奏する。
【図面の簡単な説明】
【００１１】
【図１】本発明の実施形態１に係る照明器具の構成を示す分解斜視図である。
【図２】上記照明器具の外観の構成を示す斜視図である。
【図３】上記照明器具が支柱に取り付けられた状態を示す図である。
【図４】（ａ）は上記照明器具の構成を示す上面図であり、（ｂ）は上記照明器具の構成を示す側面図であり、（ｃ）は（ａ）のＡ−Ａ線矢視断面図である。
【図５】（ａ）は上記照明器具のカバーを取り付けた状態の構成を示す下面図であり、（ｂ）は上記照明器具のカバーを取り外した状態の構成を示す下面図であり、（ｃ）は（ａ）のＢ−Ｂ線矢視断面図である。
【図６】本発明の実施形態２に係る照明器具の構成を示す分解斜視図である。
【図７】本発明の実施形態３に係る照明器具のカバーの構成を示す図であって、（ａ）は上記カバーにおける電源ユニットを覆う部分を示す側面図であり、（ｂ）は上記カバーにおける電源ユニットを覆う部分を示す上面図である。
【発明を実施するための形態】
【００１２】
〔実施形態１〕
本発明の実施形態１について、図１〜図５を用いて説明すれば以下の通りである。
【００１３】
図１は、本発明の実施形態１に係る照明器具３００の構成を示す分解斜視図である。図２は、照明器具３００の外観の構成を示す斜視図である。図３は、照明器具３００が支柱に取り付けられた状態を示す図である。図４の（ａ）は照明器具３００の構成を示す上面図であり、図４の（ｂ）は照明器具３００の構成を示す側面図であり、図４の（ｃ）は（ａ）のＡ−Ａ線矢視断面図である。図５の（ａ）は照明器具３００のカバー５を取り付けた状態の構成を示す下面図であり、（ｂ）は照明器具３００のカバー５を取り外した状態の構成を示す下面図であり、（ｃ）は（ａ）のＢ−Ｂ線矢視断面図である。
【００１４】
図１及び図２に示すように、本実施形態に係る照明器具３００は、金属製のアーム１と、アーム１に取り付けられ、絶縁材料からなるボディ２と、ボディ２上に配置され、ＬＥＤ３を実装するＬＥＤ基板４と、レンズユニット６と、電源を収納する電源ユニット７と、ＬＥＤ基板４を覆うカバー５とを備えている。以降、照明器具３００を構成する各部について説明する。
【００１５】
＜アーム１＞
アーム１は、地上に設置される支柱又は壁面に取り付けられ、ボディ２を支持する。アーム１は、例えば鋼板などの金属板から成っており、矩形状の主板１０と、１対の側板１１とが一体に形成されて成る。各側板１１は、主板１０の長手方向に沿った両側端縁から各々厚み方向に沿って立ち上がるように形成されている。また、アーム１は、水平面に対して一定の角度（例えば３０度）で傾くように湾曲している。
【００１６】
以下、アーム１におけるボディ２に取り付けられる部位（湾曲部から上端部に至る部位）をボディ取付部１Ａと称し、アーム１における支柱に取り付けられる部位を支柱取付部１Ｂ（湾曲部から下端部に至る部位）と称する。
【００１７】
ボディ取付部１Ａには、２つの取付孔１００が、湾曲部付近に間隔をおいて設けられている。これらの取付孔１００は、ボディ２をアーム１に固定するために用いられる取付ねじ（図示せず）を挿通するように形成されている。
【００１８】
支柱取付部１Ｂのほぼ中間部位には、２つの取付孔１０２が間隔をおいて設けられている。これらの取付孔１０２は、壁面（図示せず）に固定するために用いられる取付ねじ（図示せず）を挿通するように形成されている。また、支柱取付部１Ｂにおける主板１０と側板１１との境界部分には、２つのベルト孔１０３が取付孔１０２の形成位置付近から支柱取付部１Ｂの下端部付近に亘って設けられている。これらのベルト孔１０３は、図３に示すベルト３０１を挿通するように縦長に形成されている。
【００１９】
図３に示すように、アーム１は、支柱３０２に取り付けられる場合、支柱３０２に巻き付けられたベルト３０１をベルト孔１０３に挿通することで支柱３０２に固定される。また、アーム１は、壁面に取り付けられる場合、ボルト、ネジ等を取付孔１０２に挿通して壁面に締め付けることで壁面に固定される。
【００２０】
ボディ取付部１Ａにおいて、開口部１ａが、後述するセンサ窓１０１を形成するために設けられている。開口部１ａは、厚み方向に貫通しており、側板１１の幅方向に長い長方形を成すように形成されている。
【００２１】
なお、アーム１は、支柱又は壁面に取り付けられる構造となっているが、それには限定されない。例えば、アーム１は、支柱と一体となって形成されるようなものであってもよい。このように構成されるアーム１は地上に設置される。
【００２２】
＜ボディ２＞
ボディ２は、後述するＬＥＤ基板４、レンズユニット６及び電源ユニット７が取り付けられるベースとして設けられている。ボディ２は、アーム１におけるボディ取付部１Ａに接するように配置されている。ボディ２におけるアーム１とＬＥＤ基板４との間の部分は、熱伝導性を高めるために薄く形成されていることが好ましい。
【００２３】
ボディ２は、絶縁材料、例えばポリカーボネートなどの樹脂材料から形成された箱形の樹脂成形品であり、その一面（内面）が開放されている。ボディ２は、全体が矩形状を成す主部２０を有している。主部２０は、全体が長方形を成しており、外壁２１と、内壁２２と、凹部２５と、凸部２６とを含んで構成されている。
【００２４】
図４の（ｃ）にも示すように、外壁２１は、後述する凹部２５の開放部分を除いて主部２０の外側における全周に亘り、主部２０の外側の上端面から立ち下がるように形成されている。一方、内壁２２は、後述する凹部２５の開放部分を除いて主部２０の内側における全周に亘り、主部２０の内側の上端面から立ち下がるように形成されている。外壁２１の下端部と内壁２２の下端部との間には、後述するカバー５の長凸部５５が嵌合する嵌合溝２１０が形成されている。
【００２５】
内壁２２には、後述するカバー５をボディ２に取り付けるためのねじ孔２２１が設けられている。ねじ孔２２１は、アーム１の先端が主部２０において配置される側の内壁２２の端部に配置されている。ねじ孔２２１にカバー５の後述する取付孔５１０（図５の（ａ）参照）を重ね合わせ、取付ねじ（図示せず）で締め付けることにより、カバー５がボディ２に固定される。
【００２６】
凹部２５は、主部２０の外面に、主部２０の内面側に窪んで形成されている。また、凹部２５は、アーム１のボディ取付部１Ａが嵌まる形状およびサイズを有している。凹部２５の長手方向の一端は、アーム１のボディ取付部１Ａの先端が当接する壁面を有しており、当該壁面にアーム押さえ部１１０が設けられている。一方、凹部２５の長手方向の他端は外側に通じるように開放されており、開放端を形成している。これにより、図４の（ａ）および（ｂ）に示すように、アーム１のボディ取付部１Ａが凹部２５内に配置される一方、アーム１の湾曲部および支柱取付部１Ｂが凹部２５から突出する。
【００２７】
図４の（ｃ）に示すように、アーム押さえ部１１０（アーム保持部）は、凹部２５の底面と対向する押さえ面１１０ａを有している。凹部２５の底面と押さえ面１１０ａとの間は、アーム１の厚さより僅かに長い間隔をおいている。このような構造では、凹部２５の底面と押さえ面１１０ａとがアーム１の先端部を挟むように保持する。これにより、アーム１の先端部（先端及びその周辺部分）は、凹部２５の底面と押さえ面１１０ａとの間に差し込まれることで、アーム押さえ部１１０に保持される。
【００２８】
凹部２５の底面における開放端の付近には、突起部２ａが設けられている。突起部２ａは、アーム１の開口部１ａに嵌合するように開口部１ａと同形状（長方形）に形成されている。図４（ａ）に示すように、突起部２ａがアーム１の主板１０から開口部１ａを介して露出することで、センサ窓１０１が形成されている。すなわち、センサ窓１０１は、開口部１ａ及び突起部２ａによって形成されている。センサ窓１０１は、ボディ２が透光性を有する材料で形成されることにより、外部から入射する光を透過して内部に取り込む。
【００２９】
凸部２６は、主部２０の内面に凹部２５を形成するために突出するように形成されている。
【００３０】
凸部２６には、ボディ２をアーム１に取り付けるためのボス２６０、２６１と、後述するカバー５をボディ２に取り付けるためのボス２６２とが設けられている。
【００３１】
ボス２６０、２６１は、凸部２６の長手方向の他端（凹部２５の開放端側）に、凸部２６の幅方向に間隔をおいて配置されている。各ボス２６０、２６１の内周面には、凹部２５に開口する雌ねじが形成されている。ボス２６０、２６１にアーム１の取付孔１００を重ね合わせ、取付ねじ（図示せず）で締め付けることにより、ボディ２がアーム１に先端部から離間した位置で固定される。なお、取付ねじの代わりに、接着剤により、アーム１をボディ２に固定してもよい。
【００３２】
ボス２６２は、ボス２６０、２６１の間に配置されており、ボス２６２の内周面には、凸部２６に開口する雌ねじが形成されている。ボス２６２にカバー５の後述する取付孔５１１（図５の（ａ）参照）を重ね合わせ、取付ねじ（図示せず）で締め付けることにより、カバー５がボディ２に固定される。
【００３３】
また、凸部２６には、後述する電源ユニット７をボディ２に取り付けるためのボス２６３、２６４が設けられている。ボス２６３は、凸部２６の長手方向の中央と突起部２ａとの間に配置され、ボス２６４は、凸部２６の長手方向に沿った一方の側壁部における突起部２ａのほぼ側方に配置されている。ボス２６３、２６４の内周面には、ボス２６３、２６４の先端に開口する雌ねじが形成されている。ボス２６３、２６４を用いた電源ユニット７のボディ２への取り付けについては、後に詳しく説明する。
【００３４】
さらに、凸部２６には、後述するレンズユニット６をボディ２に取り付けるためのボス２６５〜２６８が設けられている。ボス２６５〜２６８は、凸部２６の長手方向に沿った両方の側壁部に二つずつそれぞれ間隔をおいて配置されている。ボス２６５〜２６８を用いた電源ユニット７のボディ２への取り付けについては、後に詳しく説明する。
【００３５】
＜ＬＥＤ基板４＞
ＬＥＤ基板４（基板）は、ボディ２の凸部２６上に、凸部２６と直接接するように配置されている。ＬＥＤ基板４の表面（実装面）には、複数のＬＥＤ３（発光素子）が、ＬＥＤ基板４の長手方向に沿って一定の間隔を空けて実装されている。また、ＬＥＤ基板４の表面には、各ＬＥＤ３への給電路となる導体が印刷されている。ＬＥＤ基板４は、ＬＥＤ３が発する熱の伝導性を高めるために、放熱性を有する材料で形成されていることが好ましい。
【００３６】
＜レンズユニット６＞
レンズユニット６は、各ＬＥＤ３が発する光の配光を決めるために設けられ、例えばポリカーボネートなどの樹脂材料から成る樹脂成形品である。レンズユニット６は、各ＬＥＤ３にそれぞれ対応する複数のレンズ６１と、各レンズ６１を一体に形成した長尺な取付板６２とを有する。本実施形態では、各レンズ６１は、取付板６２の長手方向に沿って一定の間隔を空けて取付板６２と一体に形成されている。
【００３７】
取付板６２の長辺側の一方の端縁には取付孔６１０、６１１が設けられ、取付板６２の長辺側の他方の端縁には取付孔６１２、６１３が設けられている。この取付孔６１０、６１１、６１２、６１３は、取付板６２の厚み方向に貫通するように形成されており、ＬＥＤ基板４を間において、レンズユニット６をボディ２に取付ねじ（図示せず）を用いて固定するために用いる。
【００３８】
＜カバー５＞
カバー５は、ＬＥＤ基板４、レンズユニット６及び電源ユニット７が取り付けられたボディ２の内面を覆う被覆部材である。カバー５は、例えばアクリル樹脂などの透光性を有する樹脂材料から成る半筒状の樹脂成形品であり、その一面（内面）が開放されている。カバー５のボディ２との接合部分は、ボディ２の外形に沿うように長方形を成している。
【００３９】
上記の接合部分となる周端縁には、その全周に亘って、ボディ２の嵌合溝２１０に嵌合するように突出した長凸部５５形成されている。カバー５でボディ２の解放面を塞ぐときに、長凸部５５がボディ２の嵌合溝２１０に嵌合することで、ボディ２及びカバー５によって密閉された空間を形成することができる。
【００４０】
図５の（ａ）に示すように、カバー５には、カバー５をボディ２に取り付けるための取付孔５１０、５１１が設けられている。取付孔５１０は、アーム１の先端部が配置される側の端部に形成され、取付孔５１１は、アーム１の湾曲部側の端部に形成されている。また、取付孔５１０、５１１は、カバー５の内面側と外面側との間で貫通するように形成されている。
【００４１】
また、カバー５における取付孔５１１付近の底面には、カバー５内に溜まった水を排出するための排水孔５ａが設けられている。排水孔５ａは、カバー５の長手方向に沿って細長く形成されている。
【００４２】
＜電源ユニット７＞
電源ユニット７は、電源基板７２と、電源基板７２を収納する電源ユニット下蓋７２ａ（収納ボックス）及び電源ユニット上蓋７２ｂ（収納ボックス）とで構成されている。電源ユニット７は、ボディ２の凸部２６上のボス２６０〜２６２側の端部付近に取り付けられている。電源ユニット上蓋７２ｂに電源ユニット下蓋７２ａを覆い被せることで電源基板７２を収納する筐体が形成される。
【００４３】
電源ユニット上蓋７２ｂには、ボスリング７００と、係止片７０１とが設けられている。ボスリング７００は、凸部２６に設けられたボス２６３の外周壁に嵌まる環状の部分であり、電源ユニット上蓋７２ｂの側壁部に形成されている。係止片７０１は、電源ユニット上蓋７２ｂの上端面から開口部に向いた方形状を成す小片を二つ含んでおり、電源ユニット上蓋７２ｂの対向する側壁部に一つずつ形成されている。
【００４４】
一方、電源ユニット下蓋７２ａには、取付孔７０２、７０３と、スリット７０４とが設けられている。図５の（ａ）及び（ｂ）に示すように、取付孔７０３は、電源ユニット下蓋７２ａにおけるボス２６０〜２６２側に向く外壁部に形成され、取付孔７０２は、取付孔７０３が形成された外壁部と対向する外壁部に形成されている。スリット７０４は、係止片７０１に係止する切り込み部分であり、電源ユニット下蓋７２ａの対向する側壁部に一つずつ形成されている。
【００４５】
電源ユニット下蓋７２ａは、スリット７０４を係止片７０１に係止させるように電源ユニット上蓋７２ｂに被せられることで、電源ユニット上蓋７２ｂとずれること無く組み合わされる。また、ボスリング７００が凸部２６のボス２６３に嵌められることで、電源ユニット上蓋７２ｂが凸部２６上で位置決めされる。そして、電源ユニット下蓋７２ａのボス２６３、２６４をそれぞれ取付孔７０２、７０３と重ね合わせ、取付ねじ（図示せず）で締め付けることにより、電源ユニット７がボディ２に固定される。
【００４６】
また、電源基板７２は、図５の（ｂ）及び（ｃ）に示すように、点灯回路７０と、光センサ７１とが実装されている。
【００４７】
光センサ７１は、センサ窓１０１を介して電源ユニット７の内部に導かれた自然光を感知し、受光量と比例する電流値を出力する。光センサ７１は、自然光を受けるように、電源ユニット下蓋７２ａ及び電源ユニット上蓋７２ｂに形成された開口の近傍に配置されている。
【００４８】
点灯回路７０は、各ＬＥＤ３に電力を供給する電源として機能する電源部と、光センサ７１の検出出力に応じて発光（点灯）を制御する制御部とを含む回路である。点灯回路７０は、例えば、電源部として、商用電源から供給される交流電力を直流電力に変換する従来周知のＡＣ／ＤＣコンバータを備える。
【００４９】
点灯回路７０は、光センサ７１の受光量と比例する電流値が閾値を下回っているときにＬＥＤ３に電力を供給する。一方、点灯回路７０は、光センサ７１からの受光量が多く、その電流値が闘値以上であるときには、各ＬＥＤ３に電力を供給しない。これにより、照明器具３００は、例えば日が暮れて辺りが暗くなると自動的に各ＬＥＤ３が点灯し、日が昇って辺りが明るくなると自動的に各ＬＥＤ３が消灯する。
【００５０】
＜照明器具３００による効果＞
上記のように構成される照明器具３００は、アーム１が、ＬＥＤ基板４を実装するボディ２をボディ２の外面で支持している。また、ボディ２がアーム１と少なくとも一部で接すると共に、ＬＥＤ基板４がボディ２と接している。さらに、ボディ２がアーム１に取り付けられた状態では、アーム１の先端部がアーム押さえ部１１０とボディ２の凹部２５との間に保持されている。
【００５１】
これにより、アーム１とＬＥＤ基板４との間に、絶縁材料からなるボディ２が設けられることになり、アーム１とＬＥＤ基板４との間の絶縁距離が長くなる。従って、照明器具３００の耐雷性能を向上させることができる。
【００５２】
また、ボディ２とアーム１との接触、及びＬＥＤ基板４とボディ２との接触により、ＬＥＤ３が発する熱を、ＬＥＤ基板４、ボディ２、アーム１を介して外気へと放出することができる。
【００５３】
また、アーム１がボディ２の外面でボディ２を支持することにより、アーム１がボディ２の内部に配置されないので、アーム１を伝ってボディ２の内部に水が浸入することが無い。従って、照明器具の防水性を向上させることができる。
【００５４】
さらに、アーム１の先端部がアーム押さえ部１１０とボディ２の凹部２５との間に挟むようにして保持されるので、ボディ２へのアーム１の固定が、アーム１の取付孔１００に通した取付ねじによってのみ成される。従って、その固定のための作業が、ボディ２に取付ねじを締め付ける作業のみとなり、作業工数及び取付ねじ（固定用部材）を削減することができる。
【００５５】
〔実施形態２〕
本発明の他の実施形態について、図６に基づいて説明すれば、以下のとおりである。なお、説明の便宜上、前記実施形態１にて説明した部材と同じ機能を有する部材については、同じ符号を付記し、その説明を省略する。
【００５６】
図６は、本発明の実施形態２に係る照明器具の構成を示す分解斜視図である。
【００５７】
図６に示すように、本実施形態に係る照明器具４００は、実施形態１の照明器具３００と同等に構成される以外、金属板８を備えている。金属板８は、長方形を成しており、ボディ２の凸部２６においてＬＥＤ基板４が実装される領域に貼り付けられている。
【００５８】
金属板８の材料としては、銅箔が好適に用いられる。但し、金属板８の材料は、各ＬＥＤ３の発する熱をボディ２へと効率良く伝導できるものであれば、銅箔以外の金属箔であってもよい。
【００５９】
ＬＥＤ基板４は、金属板８を介して凸部２６に実装されている。すなわち、ＬＥＤ基板４は、金属板８を介して凸部２６と接している。各ＬＥＤ３の発する熱が、金属板、ボディ２、アーム１へと効率良く伝導する。図４参照。
【００６０】
このように構成される照明器具４００は、ＬＥＤ３が発する熱を、ＬＥＤ基板４、金属板８、ボディ２、アーム１を介して外気へと放出する。照明器具４００は、前述の照明器具３００と異なり、ＬＥＤ基板４とボディ２との間に金属板８が介在しているので、ＬＥＤ基板４の熱を効率良くボディ２に伝導することができる。従って、照明器具４００の放熱効果をより高めることができる。
【００６１】
〔実施形態３〕
本発明のさらに他の実施形態について、図７に基づいて説明すれば、以下のとおりである。なお、説明の便宜上、前記実施形態１及び２にて説明した部材と同じ機能を有する部材については、同じ符号を付記し、その説明を省略する。
【００６２】
図７は、本発明の実施形態３に係る照明器具のカバー５の構成を示す図であって、（ａ）はカバー５における電源ユニット７を覆う部分を示す側面図であり、（ｂ）はカバー５における電源ユニット７を覆う部分を示す上面図である。
【００６３】
本実施形態は、実施形態１及び２に係る照明器具３００、４００に適用されるものであり、図７の（ａ）及び（ｂ）に示すように、カバー５における電源ユニット７を覆う電源ユニット被覆部５０の内面に、縞状溝部５１、５２と、排水溝５３、５４とが設けられている。
【００６４】
図７の（ｂ）に示すように、排水溝５３（水路）は、電源ユニット被覆部５０における両方の内側の側面（内側面）の下端部にそれぞれ沿うように一本ずつ形成されている。排水溝５４（水路）は、その両端がそれぞれの排水溝５３の一端側とつながり、且つ電源ユニット被覆部５０の端部に沿うように形成されている。排水溝５３における排水溝５４側の端部には、それぞれ排水孔５ａが形成されている。
【００６５】
図７の（ａ）に示すように、縞状溝部５１は、電源ユニット被覆部５０における内側面に開口部から底面に亘って直線状に伸びるように形成された複数の溝から構成されている。縞状溝部５２は、電源ユニット被覆部５０の内側の底面における排水溝５３、５４の内側の領域（排水溝５３、５４が設けられていない領域）に、両内側面の間で直線状に伸びるように形成された複数の溝から構成されている。
【００６６】
なお、縞状溝部５１、５２は、電源ユニット被覆部５０の内側面だけでなく、外側面に形成されていてもよい。
【００６７】
上記のように構成されるカバー５は、電源ユニット被覆部５０の少なくとも内面に縞状溝部５１、５２が形成されている。これにより、縞状溝部５１、５２が縞状の凹凸を形成することから、電源ユニット被覆部５０内に虫、埃等の異物が侵入しても、外側から見えにくくすることができる。また、電源ユニット７への光の入射が縞状溝部５１、５２によって抑制されるので、電源ユニット７の劣化を防ぐことができる。
【００６８】
また、照明器具３００、４００は、屋外に設置されることから、経年変化で生じたボディ２とカバー５との間に生じた隙間から内部に水が侵入したり、内部と外部との温度差によって内部に結露が生じたりすることで、内部に水が溜まることがある。これに対し、カバー５は、電源ユニット被覆部５０の内底面における、縞状溝部５２が設けられていない領域に、排水溝５３、５４が形成されている。また、照明器具３００、４００は、先端部が上に位置する一方、電源ユニット被覆部５０が下に位置するように傾斜して設置される。これにより、排水溝５３、５４が、水の流れる経路を確保するための水の通り道となって、カバー５内の水を集めることができる。そして、排水孔５ａが、排水溝５３、５４に集められた水を外部に排出する。従って、照明器具３００、４００の内部に溜まった水を効率良く排出することができる。
【００６９】
なお、排水孔５ａは、排水溝５３のみに形成されているが、排水溝５４にも形成されていてもよい。これにより、排水溝５３の排水孔５ａで排出しきれずに排水溝５４に流れ込んだ水を、排水溝５４の排水孔５ａから排出することができる。従って、照明器具３００、４００の内部に溜まった水をより効率良く排出することができる。
【００７０】
〔まとめ〕
本発明の態様１に係る照明器具は、発光素子が実装された基板（ＬＥＤ基板４）と、前記基板が配置され、絶縁材料からなるボディ２と、前記ボディ２を前記ボディ２の外面で支持するアーム１と、前記基板を覆うカバー５とを備え、前記ボディ２が、前記アーム１と接すると共に、前記基板と接している。
【００７１】
上記の構成によれば、アーム１と基板との間に、絶縁材料からなるボディ２が設けられることにより、アーム１と基板との間の絶縁距離が長くなるので、照明器具の耐雷性能を向上させることができる。また、ボディ２が、アーム１と少なくとも一部が接すると共に、基板と接することにより、発光素子が発する熱を、基板、ボディ、アームを介して外気へと放出することができる。さらに、アーム１がボディ２の内部に配置されないので、水が外部よりアーム１を伝ってボディ２の内部に浸入することが無く、照明器具の防水性を向上させることができる。
【００７２】
本発明の態様２に係る照明器具は、上記態様１において、前記ボディ２が、前記アーム１の先端部を前記ボディ２との間に挟むようにして保持するアーム保持部（アーム押さえ部１１０）をさらに備え、前記アーム１が、前記先端部から離間した位置で前記ボディ２に取り付けられていてもよい。
【００７３】
上記の構成によれば、アーム１の先端部がアーム保持部とボディ２との間に挟むようにして保持されるので、ボディ２へのアーム１の取り付けが、アーム１の先端部から離間した位置で行われるのみとなる。従って、アーム１の取り付けのための作業が、当該位置で行われる作業のみとなり、作業工数及び固定用部材を削減することができる。
【００７４】
本発明の態様３に係る照明器具は、上記態様１又は２において、前記基板は放熱性を有する材料から成っていてもよい。
【００７５】
上記の構成によれば、基板が放熱性を有する材料から成るので、照明器具の放熱性をより高めることができる。
【００７６】
本発明の態様４に係る照明器具は、上記態様１から３において、前記ボディ２と前記基板との間に介在するように配置された金属板８をさらに備えていてもよい。
【００７７】
上記の構成によれば、基板とボディ２との間に金属板８が介在しているので、基板の熱を効率良くボディ２に伝導することができる。これにより、照明器具の放熱効果をより高めることができる。
【００７８】
本発明の態様５に係る照明器具は、上記態様１から４において、前記ボディ２が樹脂材料から成っていてもよい。
【００７９】
上記の構成によれば、カバーを樹脂成形品として容易に作製することができる。
【００８０】
本発明の態様６に係る照明器具は、上記態様１から５において、前記発光素子に電力を供給する電源ユニット７をさらに備え、前記カバー５が、前記電源ユニット７を覆っており、少なくとも前記電源ユニット７を覆う部分の内面に縞状の凹凸（縞状溝部５１、５２）が設けられていてもよい。
【００８１】
上記の構成によれば、電源ユニット７を覆う部分の内部に、虫、埃等の異物が侵入しても、外側から見えにくくすることができる。また、電源ユニット７への光の入射が縞状溝部５１、５２によって抑制されるので、電源ユニット７の劣化を防ぐことができる。
【００８２】
本発明の態様７に係る照明器具は、上記態様６において、前記カバー５が、前記カバー５の内面で水が流れ込む水路（排水溝５３、５４）と、前記水路に流れ込んだ水を外部に排出する排水孔５ａとを有していてもよい。
【００８３】
上記の構成によれば、カバー５内の水が水路に流れ込むことにより、排水孔５ａが、水路に流れ込んだ水を外部に排出する。これにより、照明器具の内部に溜まった水を効率良く排出することができる。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８５】
本発明は、高い放熱性、耐雷性及び防水性が望まれる防犯灯などの屋外で使用される照明器具に好適に利用することができる。
【符号の説明】
【００８６】
１  アーム
２  ボディ
３  ＬＥＤ（発光素子）
４  ＬＥＤ基板（基板）
５  カバー
５ａ  排水孔
７  電源ユニット
８  金属板
５０  電源ユニット被覆部
５１、５２  縞状溝部（凹凸）
５３、５４  排水溝（水路）
１１０  アーム押さえ部（アーム保持部）
【図１】
0006479496.tif 000002
【図２】
0006479496.tif 000003
【図３】
0006479496.tif 000004
【図４】
0006479496.tif 000005
【図５】
0006479496.tif 000006
【図６】
0006479496.tif 000007
【図７】
0006479496.tif 000008